(57)【特許請求の範囲】
【請求項１】
プラグコンタクトを受容するよう構成された開放端を有する収容室を有するハウジングと、前記収容室内に配置された一端に位置する箱型接触部及び前記収容室から延びる他端に位置するコンタクトピンを有するリセプタクルコンタクトとを具備し、
前記箱型接触部は、前記箱型接触部を前記ハウジングに固定するラッチ機構を有し、
前記箱型接触部は、前記収容室の前記開放端と整列すると共に前記プラグコンタクトを受容するよう構成された開放前端を有し、前記リセプタクルコンタクトは、前記箱型接触部及び前記コンタクトピン間に前記箱型接触部と第一の切欠によって分離されたコンプライアント部をさらに有し、
該コンプライアント部は、第二の切欠によって先端部と後端部とに分離され、前記先端部の前記第一の切欠側が前記第一の切欠の方向へ延び、かつ、前記後端部の前記第二の切欠側が前記第二の切欠の方向へ延びることで、前記箱型接触部及び前記コンタクトピンに伝わる振動を吸収するよう可撓性を有し、
前記第一の切欠の前記箱型接触部側と前記第二の切欠の前記先端部側との少なくとも一方に停止突起を設けることを特徴とする電気コネクタ組立体。
【請求項２】
シュラウドヘッダを有する第２ハウジングを嵌合可能に受容すると共にプラグコンタクトを受容するよう構成されたキャビティを有し、前記プラグコンタクトが前記キャビティの第１端で前記シュラウドヘッダ内に延びるコンタクトブロックを有するハウジングと、前記第１端で前記キャビティに配置された一端に箱型接触部を、第２端で前記キャビティから延びる他端にコンタクトピンをそれぞれ有するリセプタクルコンタクトとを具備し、
前記箱型接触部は、前記キャビティ内に摩擦保持されると共に前記キャビティの前記第１端と整列する開放前端を有して前記プラグコンタクトを受容するよう構成され、
前記リセプタクルコンタクトは、前記箱型接触部及び前記コンタクトピン間に前記箱型接触部と第一の切欠によって分離されたコンプライアント部をさらに有し、
該コンプライアント部は、第二の切欠によって先端部と後端部とに分離され、前記先端部の前記第一の切欠側が前記第一の切欠の方向へ延び、かつ、前記後端部の前記第二の切欠側が前記第二の切欠の方向へ延びることで、前記箱型接触部及び前記コンタクトピンに伝わる振動を吸収するよう可撓性を有し、
前記第一の切欠の前記箱型接触部側と前記第二の切欠の前記先端部側との少なくとも一方に停止突起を設けることを特徴とする電気コネクタ組立体。
【請求項３】
前記先端部は前記箱型接触部の一端から延びる可撓性の板を有することを特徴とする請求項１または２に記載の電気コネクタ組立体。
【発明の詳細な説明】
【０００１】
【発明の属する技術分野】
本発明は、印刷回路基板等の部品を電気的に接続する、軸方向にコンプライアント性を有するコンタクトを含む電気コネクタに関する。
【０００２】
【従来の技術】
自動車等の用途において、互いに直交して整列し防護壁により分離される電子部品は、基板対基板コネクタ組立体としても知られる、互いに嵌合可能なプラグハウジング及びリセプタクルハウジングにより相互接続される。プラグハウジング及びリセプタクルハウジングは、それぞれプラグコンタクト及びリセプタクルコンタクトを有する。各リセプタクルコンタクトは、その前部がその後部に直交するように曲げられる。リセプタクルコンタクトは、その前部が第１印刷回路基板に接続されるプラグコンタクトを嵌合受容し、後部が第１印刷回路基板に対して直角又は鋭角を向く第２印刷回路基板に接続されるように、リセプタクルハウジング内に配置される。
【０００３】
【特許文献１】
特開平７−２９６８８６号公報
【０００４】
【発明が解決しようとする課題】
従来の基板対基板コネクタ組立体において、リセプタクルコンタクトの前部はプラスチックリセプタクルハウジングのキャビティ内に圧入され、後部はハウジングの基壁を貫通して露出した状態で下方に延びる。後部は、リセプタクルハウジングに覆われず、基壁で保持されるのみであるので、後部を振動させるおそれがある外力に容易に影響を受ける。振動がリセプタクルコンタクトに沿って進むと、前部がリセプタクルハウジングのキャビティ内で緩くなったり歪んだりする。このため、一定の振動は、プラグコンタクトとの接続に不利な影響を与えると同様に、リセプタクルハウジング及びリセプタクルコンタクトの前部を摩耗させ、損傷する。
【０００５】
また、リセプタクルコンタクトの前部がプラスチックリセプタクルハウジング内に圧入されているので、リセプタクルコンタクトの金属製前部は温度変化による軸方向の膨張のための空間を有していない。このため、リセプタクルコンタクトの前部は、キャビティ内で膨張すると、キャビティの壁との接触により歪み、キャビティの壁を押圧してリセプタクルハウジングにクラックを生じさせ、プラグコンタクトとの接続を解除してしまうおそれがある。
【０００６】
従って、上述の問題を解決し、従来技術で経験した別の懸念を取り扱う基板対基板コネクタ組立体に対するニーズがある。
【０００７】
【課題を解決するための手段】
本発明の実施形態は、プラグコンタクトを受容するよう構成された開放端を有する収容室を有するハウジングを具備する電気コネクタ組立体を含む。電気コネクタ組立体は、収容室に配置された一端に箱型接触部を有するリセプタクルコンタクトを具備する。電気コネクタは他端に収容室から延びるコンタクトピンを有し、箱型接触部は、箱型接触部をハウジングに固定するラッチ機構を有する。箱型接触部は、収容室の開放端と整列しプラグコンタクトを受容するよう構成された開放前端を有する。リセプタクルコンタクトは、箱型接触部及びコンタクトピンの間に、それらに伝わる振動を吸収するよう可撓性を有する前記箱型接触部と第一の切欠によって分離されたコンプライアント部をさらに有する。該コンプライアント部は、第二の切欠によって先端部と後端部とに分離され、前記先端部の前記第一の切欠側が前記第一の切欠の方向へ延び、かつ、前記後端部の前記第二の切欠側が前記第二の切欠の方向へ延びる。前記第一の切欠の前記箱型接触部側と前記第二の切欠の前記先端部側との少なくとも一方に停止突起を設ける。
前記先端部は前記箱型接触部の一端から延びる可撓性の板を有してもよい。
【０００８】
上述の発明の概要は、以下の本発明の実施形態の詳細な説明と同様に、添付図面に関連させて読む際によりよく理解されよう。本発明を例示する目的で、図面及び実施形態が示される。しかし、本発明は、添付図面に示された構造及び手段に限定されないものと理解すべきである。
【０００９】
【発明の実施の形態】
以下、添付図面を参照して本発明を説明する。
【００１０】
図１は、本発明の一実施形態により形成されたプラグハウジング１０を前方から見た斜視図である。プラグハウジング１０は、後壁２６から直交方向外側に延びる上壁１８、下壁３０、及び両側壁２２で形成されて全体で収容室２５を画定するシュラウドヘッダ１４を有する。矩形の固定レール３４は、上壁１８の両端近傍で上壁１８から内方に延びる。同様に、固定レール３４は各側壁２２から内方に延びる。平坦な保持バー３８が後壁２６から収容室２５内に延び、シュラウドヘッダ１４内で吊り下げられている。ねじブロック４０は、下壁３０に沿って後壁２６から延びており、ねじブロック４０及び後壁２６を貫通するねじ孔４４を有する。組立の際、ねじは、ねじ孔４４内に挿入され、プラグハウジング１０を印刷回路基板（図示せず）又は他の電子部品に接続するよう使用される。シュラウドヘッダ１４は嵌合可能にコンタクトブロック６６（図２参照）を受容し、固定レール３４はコンタクトブロック６６をシュラウドヘッダ１４内に向けさせ、保持バー３８はコンタクトブロック６６をシュラウドヘッダ１４に整列させる。この結果、ブレードコンタクト４２及びピンコンタクト５４は、曲げられることなくコンタクトブロック６６内に受容される。
【００１１】
ブレードコンタクト４２は、後壁２６を貫通して収容室２５内に延び、上壁１８近傍で１列に且つ上壁１８と平行に整列する。ブレードコンタクト４２は、後壁２６を貫通する矩形通路４６内に保持される。ブレードコンタクト４２は、その両側から外側に延びる横ビームブレード５０を有する。組立の際、ブレードコンタクト４２は、横ビームブレード５０が通路４６と係合し且つ通路４６内に保持されるまで、矢印Ａ方向に沿ってシュラウドヘッダ１４を通って通路４６内に挿入される。このため、ブレードコンタクト４２は、シュラウドヘッダ１４内で吊り下げられた状態にある。
【００１２】
また、ピンコンタクト５４は、後壁２６を貫通して挿入され、下壁３０に沿って延びる平行な複数列に整列される。また、ピンコンタクト５４は、そのいずれかの側から外側に延びる横ビームピン５８を有する。組立の際、ピンコンタクト５４は、横ビームピン５８が後壁２６を貫通して通路４６と係合し且つ通路４６内に保持されるまで、矢印Ａ方向に沿ってシュラウドヘッダ１４内に挿入される。このため、ピンコンタクト５４は、シュラウドヘッダ１４内で吊り下げられた状態にある。シュラウドヘッダ１４が嵌合可能にコンタクトブロック６６（図２参照）と係合すると、ブレードコンタクト４２及びピンコンタクト５４はコンタクトブロック６６内に受容され、リセプタクルコンタクト１１０，１６２（図４参照）とそれぞれ電気的に連通する。
【００１３】
図２は、本発明の一実施形態により形成されたリセプタクルハウジング６２を前方から見た斜視図である。リセプタクルハウジング６２は、後壁７０から外側に延びるコンタクトブロック６６を有する。下壁１１４は後壁７０の一縁に沿って形成される。コンタクトブロック６６は、後壁７０に形成された基部８６から外側に延びる上壁７４、下壁７８及び両側壁８２を有する。上壁７４は、その両端近傍にレール溝９１を有する。また、各側壁８２はレール溝９１を有する。コンタクトブロック６６は、長く薄いキャビティ９８を内部に有する前面９４を有する。プラグハウジング１０（図１参照）及びリセプタクルハウジング６２が嵌合すると、シュラウドヘッダ１４（図１参照）はコンタクトブロック６６を受容する。シュラウドヘッダ１４がコンタクトブロック６６を受容すると、上壁７４のレール溝９１が上壁１８の固定レール３４（図１参照）を受容し保持し、両側壁８２のレール溝９１は両側壁２２の固定レール３４を受容し保持する。同様に、キャビティ９８は、プラグハウジング１０の保持バー３８（図１参照）を受容し保持する。
【００１４】
前面９４には、上壁７４近傍に上壁７４と平行に１列に整列した複数の矩形ブレードキャビティ１０２が前面９４を貫通して形成される。ブレードキャビティ１０２は、リセプタクルコンタクト１１０の部分を形成する金属製箱型接触部１０６を含む。リセプタクルコンタクト１１０の一端は、後壁７０の後側７１を貫通してコンタクトブロック６６のブレードキャビティ１０２内に延びる。リセプタクルコンタクト１１０の他端は、後壁７０に直交する方向を向いた下壁１１４まで下方に延びる。嵌合作業の際、ブレードキャビティ１０２及び箱型接触部１０６の列は、ブレードコンタクト４２（図１参照）の対応する列を受容し、箱型接触部１０６でリセプタクルコンタクト１１０と電気的に接続する。
【００１５】
また、コンタクトブロック６６の前面９４は、複数列に整列された矩形ピンキャビティ１１８を有する。ピンキャビティ１１８は、リセプタクルコンタクト１６２（図４参照）の端部に形成された金属製箱型接触部１２２を有する。リセプタクルコンタクト１６２の一端は、後壁７０を貫通してコンタクトブロック６６内に延びる。リセプタクルコンタクト１６２の他端は下壁１１４まで下方に延びる。ピンキャビティ１１８及び箱型接触部１２２は、ピンコンタクト５４が箱型接触部１２２を通ってリセプタクルコンタクト１６２（図４参照）と電気的に接続するまで、対応するピンコンタクト５４（図１参照）を受容する。
【００１６】
図３は、図１のプラグハウジング１０を下方から見た斜視図である。ブレードコンタクト４２及びピンコンタクト５４は、後壁２６の下面１３０を貫通して外側に延びて複数列に整列したテール端１２６を有する。基板用ポスト１３４は後壁２６の下面１３０から外側に延びており、矩形の基板用シール１３８は下壁１３０の周辺に沿って包む。テール端１２６は印刷回路基板（図示せず）に半田付けされ、基板用ポスト１３４は印刷回路基板の開口に受容され保持されることにより。プラグハウジング１０を印刷回路基板に固定する。基板用シール１３８は、後壁２６及び印刷回路基板間にシールを形成し、汚染物がブレードコンタクト４２及びピンコンタクト５４に影響を与えるのを防止する。
【００１７】
図４は、図２のリセプタクルハウジング６２を上方から見た斜視図である。矩形の固定ブロック１４４は、後壁７０から外側に延びて下壁１１４に結合される。下壁１１４の下側は下ポスト１７４を有する。Ｌ字状のコンタクト収容室１４２が、下壁１１４に沿って後壁７０の後側７１から延び、突出ブロック１４６を有する。ブレードキャビティ１０２は、コンタクトブロック６６の前面９４から後壁７０及び突出ブロック１４６を貫通して延びる。リセプタクルコンタクト１１０は前側ピン部１５０及び後側ピン部１５４を有する。また、コンタクト収容室１４２は下壁１５８を有する。ピンキャビティ１１８は、コンタクトブロック６６の前面９４から後壁７０及び下壁１５８を貫通して延びる。リセプタクルコンタクト１６２は、リセプタクルコンタクト１１０より小さく、前側ピン部１６６及び後側ピン部１７０を有する。
【００１８】
組立の際、リセプタクルコンタクト１１０，１６２は曲げられないで、矢印Ｂの方向に沿って前面９４を貫通してそれぞれブレードキャビティ１０２及びピンキャビティ１１８内に挿入される。箱型接触部１０６，１２２（図２参照）は、それぞれブレードキャビティ１０２及びピンキャビティ１１８内に圧入される。前側ピン部１５０，１６６は、コンタクト収容室１４２のブレードキャビティ１０２及びピンキャビティ１１８からそれぞれ延びる。次に、リセプタクルコンタクト１１０，１６２は、後側ピン部１５４，１７０がそれぞれ前側ピン部１５０，１６６に対して直交するように曲げられる。下壁１１４は、ポスト開口（図示せず）を有し、ポスト開口が下ポスト１７４を受容して固定ブロック１４４に固定される。後側ピン部１５４，１７０は、下壁１１４の孔（図示せず）を貫通し、テール端２９４（図５参照）を下壁１１４の下で露出した状態にする。
【００１９】
リセプタクルハウジング６２は印刷回路基板（図示せず）上に配置され、下ポスト１７４が印刷回路基板の開口に受容され保持される。リセプタクルコンタクト１１０，１６２のテール端２９４（図示せず）は印刷回路基板に半田付けされる。次に、リセプタクルハウジング６２がプラグハウジング１０（図１参照）と嵌合し、リセプタクルハウジング６２に取り付けられた印刷回路基板からプラグハウジング１０に取り付けられた印刷回路基板に、又はその逆方向に電気信号が送られる。
【００２０】
図５はリセプタクルコンタクト１１０の斜視図である。リセプタクルコンタクト１１０は、リセプタクルコンタクト１６２（図４参照）と同様の構造であるが、寸法が異なる。リセプタクルコンタクト１１０はリセプタクルコンタクト１６２をほぼ代表するので、リセプタクルコンタクト１１０のみを詳細に説明する。リセプタクルコンタクト１１０は、リセプタクルコンタクト１１０の前端１９８に配置された箱型接触部１０６を有する。箱型接触部１０６は、下壁２１０から上方に延びる両側壁２０２，２０６を有する。両側壁２０２，２０６は、それぞれ上壁２１４，２２２と一体に形成されている。上壁２１４，２２２は重なり合う配置となるよう互いに向かって曲げられる。上壁２２２の前部２２６は、側壁２０６から内方に延びると共に空隙２３０により上壁２１４から分離される。上壁２２２の前部２２６は上方へ広がって共通水平面２３８内で上壁２１４と整列する。
【００２１】
重なり合った上壁２１４，２２２は、それらの略中央に位置する重なり開口２３２，２３４をそれぞれ有する。開口２３２，２３４は、ブレードキャビティ１０２（図４参照）の上壁内面から開口２３２，２３４内へ下方に延びるラッチ（図示せず）を受容する。ラッチは、開口２３２，２３４を貫通してブレードキャビティ１０２内の固定位置に箱型接触部１０６を保持する。ラッチは、上壁２１４及び上壁２２２の後部２１８が互いに摺動するのを防止する。重なり合った上壁２１４，２２２は、ブレードコンタクト４２（図１参照）と係合することによりブレードキャビティ１０２の両壁により箱型接触部１０６に印加される圧力により耐えるために、箱型接触部１０６の構造的一体性を補強する。
【００２２】
前端１９８では、ばね突起２４２が下壁２１０と一体に形成されると共に下壁２１０から延びる。ばね突起２４２は、コンタクトキャビティ２４６内へ鋭角で後方に曲げられ、上壁２１４，２２２に向かって突出する。ブレードキャビティ１０２がブレードコンタクト４２（図１参照）を受容する際に、ブレードコンタクト４２は、前端１９８で矢印Ｅ方向に沿って箱型接触部１０６に入る。ブレードコンタクト４２は、箱型接触部１０６に入ると、ブレードコンタクト４２がばね突起２４２及び上壁２２２間に挟まれるまで、ばね突起２４２に沿って摺動する。このため、ブレードコンタクト４２は、箱型接触部１０６内の固定位置に保持され、矢印Ｆ方向に箱型接触部１０６から引き出されるときに摺動可能に取り外しできる。
【００２３】
両側壁２０２，２０６は、リセプタクルコンタクト１１０がブレードキャビティ１０２内に挿入されると、ブレードキャビティ１０２の内部両側壁から内方に延びる爪（図示せず）と係合する保持凹部１９０を有する。爪及び保持凹部１９０は、協働して固定位置におけるブレードキャビティ１０２内に箱型接触部１０６を保持する。停止ビーム２９８は、両側壁２０２，２０６の後端１９９に形成され、後端から後方に延びる。停止ビーム２９８は、コンプライアント部２５０が箱型接触部１０６に向かってシフトすると、コンプライアント部２５０と係合してコンプライアント部２５０に抵抗する。このため、コンプライアント部２５０が箱型接触部１０６を損傷したり押しのけたりすることを防止する。
【００２４】
接続板３２６は、コンプライアント部２５０から筒状ピンホルダ２８２まで後方に延びる。ピンホルダ２８２は、第１端近傍で前ピン部１５０の周囲に圧着され、機械的結合を形成する。ピンホルダ２８２は前ピン部１５０をコンプライアント部２５０に固定するので、電気信号は箱型接触部１０６及びテール端２９４の間に運ばれる。Ｕ字状保持フランジ２８６は、ピンホルダ２８２近傍で前ピン部１５０の周囲に包まれる。リセプタクルコンタクト１１０がブレードキャビティ１０２（図４参照）内に配置されると、保持フランジ２８６の尾根面２９０が突出ブロック１４６（図４参照）内に内のブレードキャビティ１０２の内部上壁（図示せず）と摩擦係合し、ブレードキャビティ１０２内にリセプタクルコンタクト１１０を保持する。
【００２５】
図６は、図５のリセプタクルコンタクト１１０を下から見た斜視図である。下壁２１０は、中間部３１０の一端から延びる十字部(cross portion)３０２及び中間部３１０の他端から延びる十字部３０６を有する。十字部３０２は、下側空隙３１４により両側壁２０２，２０６から分離される。ブレードコンタクト４２（図１参照）が箱型接触部１０６に入りばね突起２４２と係合すると、十字部３０２は、下側空隙３１４により矢印Ｋ又は矢印Ｌの方向に偏倚可能になる。このため、下側空隙３１４はブレードコンタクト４２の挿入をより容易にする。
【００２６】
コンプライアント部２５０は、リセプタクルコンタクト１１０の下側壁２１０に結合され、下壁２１０の十字部３０６からコンプライアント部２５０の上壁２５４まで延びる先端側部２５１を有する側壁２５８を具備する。コンプライアント２５０は、一端が箱型接触部１０６の下壁２１０と一体であり、他端が接続板３２６と一体である。側部切欠２６２は、先端側部２５１を後端側部２５３から分離する。また、コンプライアント部２５０の下壁２１０は、下側空隙２６３により先端下部２６５及び後端下部２６７に分離される。先端下部２６５は、下側空隙２６３内で後端下部２６７に向かって延びる複数の停止突起３２２を有する。コンプライアント部２５０は、上壁２１４を横切って両側壁２０２，２０６に沿って下方且つ略Ｓ字状に対角線に沿って延びるコンタクト空隙２７０により、箱型接触部１０６から分離される。コンタクト空隙２７０は、下壁２１０に沿って互いに平行に延びる下側先端空隙部２７１を有する。下側先端空隙部２７１は、箱型接触部１０６の前端１９８に向かって前方を向き、端部２７３（図６参照）で広がる。
【００２７】
作業の際、コンプライアント部２５０は、前ピン部１５０及び後ピン部１５４（図４参照）からリセプタクルコンタクト１１０に沿う振動が、ブレードキャビティ１０２（図４参照）内に圧入された箱型接触部１０６を押しのけたり損傷したりすることなく吸収される。例えば、前ピン部１５０（図４参照）に影響を与える外部力により生じた振動が矢印Ｆ方向にリセプタクルコンタクト１１０に沿って伝わると、後端側部２５３が側部切欠２６２及び下側空隙内へＦ方向に延びる。この結果、停止突起３２２が接続板３２６と係合できる。振動は、先端側部２５１に到達する前に、停止突起３２２及び側部切欠２６２によって部分的に吸収される。振動が先端側部２５１に沿って伝わると、先端側部２５１及び上壁２５４はコンタクト空隙２７０内へ矢印Ｆの方向に沿って軸方向に浮動する。このため、コンタクト空隙２７０が狭くなる。先端側部２５１は停止ビーム２９８に接触できるが、接触する場合であっても、振動は大きく減衰し、箱型接触部１０６を押しやったり損傷したりしない。コンタクト空隙２７０は、コンタクト部２５０が箱型接触部１０６の長さに沿って延びる縦軸２７４に沿ったいずれかの方向、および箱型接触部１０６の長さに直交して延びる横軸２７８，２７９に沿ったいずれかの方向に浮動することができる。
【００２８】
例えば、接続板３２６が矢印Ｋ方向へ横軸２７８に沿って浮動すると、両側壁２５８は側部切欠２６２近傍の矢印Ｍ方向に撓む。或いは、接続板３２６が矢印Ｌ方向へ横軸２７８に沿って浮動すると、両側壁２５８は側部切欠２６２近傍の矢印Ｎ方向に撓む。同様に、十字部３０６が矢印Ｋ方向へ横軸２７８に沿って浮動すると、下壁２１０は下側先端空隙部２７１の端部２７３近傍の矢印Ｍ方向に撓む。或いは、十字部３０６が矢印Ｌ方向へ横軸２７８に沿って浮動すると、下壁２１０は下側先端空隙部２７１の端部２７３近傍の矢印Ｎ方向に撓む。
【００２９】
同様に、接続板３２６が矢印Ｐ方向へ横軸２７９に沿って浮動すると、両側壁２５８は側部切欠２６２近傍の矢印Ｑ方向に撓む。或いは、接続板３２６が矢印Ｒ方向へ横軸２７９に沿って浮動すると、両側壁２５８は側部切欠２６２近傍の矢印Ｖ方向に撓む。さらに、先端側部２５１が矢印Ｐ方向へ横軸２７９に沿って浮動すると、十字部３０６は下側先端空隙部２７１間を矢印Ｑ方向に撓む。或いは、先端側部２５１が矢印ＲＬ方向へ横軸２７９に沿って浮動すると、十字部３０６は下側先端空隙部２７１間を矢印Ｖ方向に撓む。
【００３０】
同様に側部切欠２６２及びコンタクト空隙２７０は、熱膨張に起因するコンプライアント部２５０の軸方向の浮動を収容する。例えば、コンプライアント部２５０の金属が膨張すると、コンプライアント部２５０は、矢印Ｆ方向に沿って箱型接触部１０６に向かって軸方向に浮動し、コンタクト空隙２７０を狭めるが、箱型接触部１０６には接触しない。
【００３１】
さらに、側部切欠２６２及び下側空隙２６３は、縦軸２７４の周りの後端側部２５３及び接続板３２６の捩れを収容する。例えば、接続板３２６又は後端側部２５３が縦軸２７４の周りに矢印Ｔ又はＳのいずれかの方向に捩じられると、上壁２５４及び後端側部２５３は側部切欠２６２近傍で同一方向に撓む。同様に、コンタクト切欠２７０及び下側先端空隙部２７１は、縦軸２７４の周りのコンプライアント部２５０の捩れを収容する。例えば、コンプライアント部２５０が縦軸２７４の周りに矢印Ｔ又はＳのいずれかの方向に捩じられると、十字部３０６は下側先端空隙部２７１間を同一方向に撓む。このため、接続板３２６又はコンプライアント部２５０に捩じれを生じさせる振動は、箱型接触部１０６に影響を与えることなく収容される。
【００３２】
リセプタクルハウジングは、リセプタクルコンタクトを軸方向に浮動する利点を与える。コンプライアント部は、ピン部からの振動又は温度変化による膨張を受けると、箱型接触部からコンプライアント部を分離する空隙内にブレードキャビティ内で軸方向に移動することができる。このため、振動及び熱膨張は、箱型接触部をばらばらにしたり損傷したりするおそれ、並びに箱型接触部及びブレードコンタクト又はピンコンタクト間の電気的接続に影響を与えるおそれがより小さい。
【００３３】
実施形態を参照して本発明を説明したが、本発明の範囲から逸脱することなく種々の変更が可能であり、等価物に代替可能であることは当業者に理解されよう。さらに、本発明の範囲を逸脱することなく、本発明の開示に対して特定の状況又は材料に適応して変形してもよい。従って、本発明は、開示された実施形態に制限されることを意図しておらず、本発明は特許請求の範囲に入る全ての実施形態を含む。
【図面の簡単な説明】
【図１】本発明の一実施形態に従って形成されたプラグハウジングを前側から見た斜視図である。
【図２】本発明の一実施形態に従って形成されたリセプタクルハウジングを前側から見た斜視図である。
【図３】図１のプラグハウジングを下側から見た斜視図である。
【図４】図２のリセプタクルハウジングを上側から見た斜視図である。
【図５】本発明の一実施形態に従って形成されたリセプタクルコンタクトの斜視図である。
【図６】図５のリセプタクルコンタクトを下側から見た斜視図である。
【符号の説明】
１０            プラグハウジング（第２ハウジング）
１４            シュラウドヘッダ
４２            ブレードコンタクト（プラグコンタクト）
５４            ピンコンタクト（プラグコンタクト）
６２            ハウジング（リセプタクルハウジング）
６６            コンタクトブロック
１０２          キャビティ
１０６，１２２  箱型接触部
１１０，１６２  リセプタクルコンタクト
１２６          テール端（コンタクトピン）
１４２          収容室
２３３，２３４  開口（ラッチ機構）
２５０          コンプライアント部
【図１】
0004219713.tif 000002
【図２】
0004219713.tif 000003
【図３】
0004219713.tif 000004
【図４】
0004219713.tif 000005
【図５】
0004219713.tif 000006
【図６】
0004219713.tif 000007